(57)【特許請求の範囲】
【請求項１】
Ｓｅｒｉａｌｉｚｅｒ／Ｄｅｓｅｒｉａｌｉｚｅｒ方式のシリアル伝送線路で接続されている複数の調整対象装置と、当該調整対象装置のそれぞれと診断用のバスで接続されている診断プロセッサと、を有しているプリエンファシス調整の自動化システムにおいて、
前記診断プロセッサが、前記調整対象装置の電源を投入する電源制御手段と、
前記診断プロセッサが、電源の投入された前記調整対象装置の全ｐｏｒｔについてＳｅｒｉａｌｉｚｅｒ／Ｄｅｓｅｒｉａｌｉｚｅｒのプリエンファシス調整を行うプリエンファシス調整手段と、
前記診断プロセッサが、前記プリエンファシス調整手段における前記調整結果を調整済みデータとして保持する調整済みデータ格納手段と、
前記診断プロセッサが、前記調整済みデータ格納部に保持している前記調整済みデータを前記調整対象装置がそれぞれ持つ調整データ記憶領域に設定する初期化処理手段と、
を備えており、
前記記憶領域の調整データに従って各装置の全ｐｏｒｔに対するプリエンファシス調整を行うプリエンファシス調整自動化システムであって、
前記診断プロセッサと接続され記憶装置を備えた保守用プロセッサと、
前記診断プロセッサが、前記調整済みデータ格納部に保持する前記調整済みデータを前記保守用プロセッサに送付する手段と、
前記診断プロセッサが、前記診断プロセッサ起動時に調整済みデータ格納部に有意な前記調整済みデータが保存されていない場合は、前記保守用プロセッサに前記調整済みデータの読み出しを要求する手段と、
前記保守用プロセッサが、前記診断プロセッサから送付された前記調整済みデータを自らが備えている前記記憶装置に保持する記憶手段と、
前記保守用プロセッサが、前記診断プロセッサからの前記読み出し要求に応じて、前記保持している調整済みデータを前記診断プロセッサに送付する手段と、
を更に備え、
前記初期化処理手段は、前記診断プロセッサ起動時に調整済みデータ格納部に有意な前記調整済みデータが保存されていない場合は、前記要求に応じて前記保守用プロセッサから送付されてきた前記調整済みデータを前記調整対象装置がそれぞれ持つ調整データ記憶領域に設定することを特徴とするプリエンファシス調整自動化システム。
【請求項２】
Ｓｅｒｉａｌｉｚｅｒ／Ｄｅｓｅｒｉａｌｉｚｅｒ方式のシリアル伝送線路で接続されている複数の調整対象装置と、当該調整対象装置のそれぞれと診断用のバスで接続されている診断プロセッサと、を有しているプリエンファシス調整の自動化システムにおいて、
前記診断プロセッサが、前記調整対象装置の電源を投入する電源制御手段と、
前記診断プロセッサが、電源の投入された前記調整対象装置の全ｐｏｒｔについてＳｅｒｉａｌｉｚｅｒ／Ｄｅｓｅｒｉａｌｉｚｅｒのプリエンファシス調整を行うプリエンファシス調整手段と、
前記診断プロセッサが、前記プリエンファシス調整手段における前記調整結果を調整済みデータとして保持する調整済みデータ格納手段と、
前記診断プロセッサが、前記調整済みデータ格納部に保持している前記調整済みデータを前記調整対象装置がそれぞれ持つ調整データ記憶領域に設定する初期化処理手段と、
を備えており、
前記記憶領域の調整データに従って各装置の全ｐｏｒｔに対するプリエンファシス調整を行うプリエンファシス調整自動化システムであって、
前記診断プロセッサが、前記調整対象装置の種類毎にエラー回数の閾値を保持する閾値格納手段と、
前記診断プロセッサが、各調整対象装置間に試験データを流し、Ｓｅｒｉａｌｉｚｅｒ／Ｄｅｓｅｒｉａｌｉｚｅｒ方式のシリアル伝送線路におけるデータ伝送の試験を行う伝送試験手段と、
前記診断プロセッサが、前記伝送試験でエラーが発生した場合はｐｏｒｔ毎のエラー回数をカウントするエラーカウント手段と、
前記エラー回数と前記閾値を比較し、前記閾値以上のエラーが発生したｐｏｒｔの接続関係に基づいて前記調整対象装置が交換されたかどうかを判断する交換装置判断手段と、
を更に備え、
前記プリエンファシス調整手段が、前記交換装置判断手段により交換されたと判断された前記調整対象装置のみを対象に再度前記プリエンファシス調整を行うことを特徴とするプリエンファシス調整自動化システム。
【請求項３】
請求項１に記載のプリエンファシス調整自動化システムにおいて、
前記診断プロセッサが、前記調整対象装置の種類毎にエラー回数の閾値を保持する閾値格納手段と、
前記診断プロセッサが、各調整対象装置間に試験データを流し、Ｓｅｒｉａｌｉｚｅｒ／Ｄｅｓｅｒｉａｌｉｚｅｒ方式のシリアル伝送線路におけるデータ伝送の試験を行う伝送試験手段と、
前記診断プロセッサが、前記伝送試験でエラーが発生した場合はｐｏｒｔ毎のエラー回数をカウントするエラーカウント手段と、
前記エラー回数と前記閾値を比較し、前記閾値以上のエラーが発生したｐｏｒｔの接続関係に基づいて前記調整対象装置が交換されたかどうかを判断する交換装置判断手段と、
を備え、
前記プリエンファシス調整手段が、前記交換装置判断手段により交換されたと判断された前記調整対象装置のみを対象に再度前記プリエンファシス調整を行うプリエンファシス調整自動化システムであって、
前記保守用プロセッサが、調整対象装置に対する訂正可能障害の統計情報を保持するログ記憶手段と、
前記診断プロセッサが、前記交換装置判断手段により交換されたと判断された調整対象装置を前記保守用プロセッサに通知する手段と、
前記保守用プロセッサが、診断プロセッサからの交換された調整対象装置の通知に従い、当該調整対象装置に対する前記統計情報を消去するログクリア手段と、
を更に備え、
プリエンファシス調整の自動化に伴う訂正可能障害履歴管理も行うことを特徴とするプリエンファシス調整自動化システム。
【請求項４】
請求項１乃至３の何れか１項に記載のプリエンファシス調整自動化システムにおいて、
前記調整対象装置が、演算装置、主記憶装置及び入出力制御装置の何れか或いはその組合せであることを特徴とするプリエンファシス調整自動化システム。
【請求項５】
Ｓｅｒｉａｌｉｚｅｒ／Ｄｅｓｅｒｉａｌｉｚｅｒ方式のシリアル伝送線路で接続されている複数の調整対象装置と、当該調整対象装置のそれぞれと診断用のバスで接続されている診断プロセッサと、を有しているシステムが行うプリエンファシス調整の自動化において、
前記診断プロセッサが、前記調整対象装置の電源を投入する電源制御ステップと、
前記診断プロセッサが、電源の投入された前記調整対象装置の全ｐｏｒｔについてＳｅｒｉａｌｉｚｅｒ／Ｄｅｓｅｒｉａｌｉｚｅｒのプリエンファシス調整を行うプリエンファシス調整ステップと、
前記診断プロセッサが、前記プリエンファシス調整ステップにおける前記調整結果を調整済みデータとして調整済みデータ格納部に保持させる調整済みデータ格納ステップと、
前記診断プロセッサが、前記調整済みデータ格納部が保持している前記調整済みデータを前記調整対象装置がそれぞれ持つ調整データ記憶領域に設定する初期化処理ステップと、
を備えており、
前記記憶領域の調整データに従って各装置の全ｐｏｒｔに対するプリエンファシス調整を行うプリエンファシス調整自動化方法であって、
前記システムは前記診断プロセッサと接続され記憶装置を備えた保守用プロセッサを更に有しており、
前記診断プロセッサが、前記調整済みデータ格納部が保持する前記調整済みデータを前記保守用プロセッサに送付するステップと、
前記診断プロセッサが、前記診断プロセッサ起動時に調整済みデータ格納部に有意な前記調整済みデータが保存されていない場合は、前記保守用プロセッサに前記調整済みデータの読み出しを要求するステップと、
前記保守用プロセッサが、前記診断プロセッサから送付された前記調整済みデータを自らが備えている前記記憶装置に保持する記憶ステップと、
前記保守用プロセッサが、前記診断プロセッサからの前記読み出し要求に応じて、前記保持している調整済みデータを前記診断プロセッサに送付するステップと、
を更に備え、
前記診断プロセッサ起動時に調整済みデータ格納部に有意な前記調整済みデータが保存されていない場合は、前記要求に応じて前記保守用プロセッサから送付されてきた前記調整済みデータを前記調整対象装置がそれぞれ持つ調整データ記憶領域に設定することを特徴とするプリエンファシス調整自動化方法。
【請求項６】
Ｓｅｒｉａｌｉｚｅｒ／Ｄｅｓｅｒｉａｌｉｚｅｒ方式のシリアル伝送線路で接続されている複数の調整対象装置と、当該調整対象装置のそれぞれと診断用のバスで接続されている診断プロセッサと、を有しているシステムが行うプリエンファシス調整の自動化において、
前記診断プロセッサが、前記調整対象装置の電源を投入する電源制御ステップと、
前記診断プロセッサが、電源の投入された前記調整対象装置の全ｐｏｒｔについてＳｅｒｉａｌｉｚｅｒ／Ｄｅｓｅｒｉａｌｉｚｅｒのプリエンファシス調整を行うプリエンファシス調整ステップと、
前記診断プロセッサが、前記プリエンファシス調整ステップにおける前記調整結果を調整済みデータとして調整済みデータ格納部に保持させる調整済みデータ格納ステップと、
前記診断プロセッサが、前記調整済みデータ格納部が保持している前記調整済みデータを前記調整対象装置がそれぞれ持つ調整データ記憶領域に設定する初期化処理ステップと、
を備えており、
前記記憶領域の調整データに従って各装置の全ｐｏｒｔに対するプリエンファシス調整を行うプリエンファシス調整自動化方法であって、
前記診断プロセッサが、前記調整対象装置の種類毎にエラー回数の閾値を保持する閾値格納ステップと、
前記診断プロセッサが、各調整対象装置間に試験データを流し、Ｓｅｒｉａｌｉｚｅｒ／Ｄｅｓｅｒｉａｌｉｚｅｒ方式のシリアル伝送線路におけるデータ伝送の試験を行う伝送試験ステップと、
前記診断プロセッサが、前記伝送試験でエラーが発生した場合はｐｏｒｔ毎のエラー回数をカウントするエラーカウントステップと、
前記エラー回数と前記閾値を比較し、前記閾値以上のエラーが発生したｐｏｒｔの接続関係に基づいて前記調整対象装置が交換されたかどうかを判断する交換装置判断ステップと、
を更に備え、
前記交換装置判断ステップにより交換されたと判断された前記調整対象装置のみを対象に再度前記プリエンファシス調整を行うことを特徴とするプリエンファシス調整自動化方法。
【請求項７】
請求項５に記載のプリエンファシス調整自動化方法において、
前記診断プロセッサが、前記調整対象装置の種類毎にエラー回数の閾値を保持する閾値格納ステップと、
前記診断プロセッサが、各調整対象装置間に試験データを流し、Ｓｅｒｉａｌｉｚｅｒ／Ｄｅｓｅｒｉａｌｉｚｅｒ方式のシリアル伝送線路におけるデータ伝送の試験を行う伝送試験ステップと、
前記診断プロセッサが、前記伝送試験でエラーが発生した場合はｐｏｒｔ毎のエラー回数をカウントするエラーカウントステップと、
前記エラー回数と前記閾値を比較し、前記閾値以上のエラーが発生したｐｏｒｔの接続関係に基づいて前記調整対象装置が交換されたかどうかを判断する交換装置判断ステップと、
を備え、
前記交換装置判断ステップにより交換されたと判断された前記調整対象装置のみを対象に再度前記プリエンファシス調整を行うプリエンファシス調整自動化方法であって、
前記保守用プロセッサが、調整対象装置に対する訂正可能障害の統計情報を保持するログ記憶ステップと、
前記診断プロセッサが、前記交換装置判断ステップにより交換されたと判断された調整対象装置を前記保守用プロセッサに通知するステップと、
前記保守用プロセッサが、診断プロセッサからの交換された調整対象装置の通知に従い、当該調整対象装置に対する前記統計情報を消去するログクリアステップと、
を更に備え、
前記プリエンファシス調整の自動化に伴う訂正可能障害履歴管理も行うことを特徴とするプリエンファシス調整自動化方法。
【請求項８】
Ｓｅｒｉａｌｉｚｅｒ／Ｄｅｓｅｒｉａｌｉｚｅｒ方式のシリアル伝送線路で接続されている複数の調整対象装置と、当該調整対象装置のそれぞれと診断用のバスで接続されている診断プロセッサと、を有しているシステムに組み込まれるプリエンファシス調整の自動化プログラムにおいて、
前記診断プロセッサが、前記調整対象装置の電源を投入する電源制御手段と、
前記診断プロセッサが、電源の投入された前記調整対象装置の全ｐｏｒｔについてＳｅｒｉａｌｉｚｅｒ／Ｄｅｓｅｒｉａｌｉｚｅｒのプリエンファシス調整を行うプリエンファシス調整手段と、
前記診断プロセッサが、前記プリエンファシス調整手段における前記調整結果を調整済みデータとして保持する調整済みデータ格納手段と、
前記診断プロセッサが、前記調整済みデータ格納部に保持している前記調整済みデータを前記調整対象装置がそれぞれ持つ調整データ記憶領域に設定する初期化処理手段と、
を備えており、
前記記憶領域の調整データに従って各装置の全ｐｏｒｔに対するプリエンファシス調整を行うシステムとしてコンピュータを機能させるプリエンファシス調整自動化プログラムであって、
前記診断プロセッサと接続され記憶装置を備えた保守用プロセッサと、
前記診断プロセッサが、前記調整済みデータ格納部に保持する前記調整済みデータを前記保守用プロセッサに送付する手段と、
前記診断プロセッサが、前記診断プロセッサ起動時に調整済みデータ格納部に有意な前記調整済みデータが保存されていない場合は、前記保守用プロセッサに前記調整済みデータの読み出しを要求する手段と、
前記保守用プロセッサが、前記診断プロセッサから送付された前記調整済みデータを自らが備えている前記記憶装置に保持する記憶手段と、
前記保守用プロセッサが、前記診断プロセッサからの前記読み出し要求に応じて、前記保持している調整済みデータを前記診断プロセッサに送付する手段と、
を更に備え、
前記初期化処理手段は、前記診断プロセッサ起動時に調整済みデータ格納部に有意な前記調整済みデータが保存されていない場合は、前記要求に応じて前記保守用プロセッサから送付されてきた前記調整済みデータを前記調整対象装置がそれぞれ持つ調整データ記憶領域に設定することを特徴とするプリエンファシス調整自動化プログラム。
【請求項９】
Ｓｅｒｉａｌｉｚｅｒ／Ｄｅｓｅｒｉａｌｉｚｅｒ方式のシリアル伝送線路で接続されている複数の調整対象装置と、当該調整対象装置のそれぞれと診断用のバスで接続されている診断プロセッサと、を有しているシステムに組み込まれるプリエンファシス調整の自動化プログラムにおいて、
前記診断プロセッサが、前記調整対象装置の電源を投入する電源制御手段と、
前記診断プロセッサが、電源の投入された前記調整対象装置の全ｐｏｒｔについてＳｅｒｉａｌｉｚｅｒ／Ｄｅｓｅｒｉａｌｉｚｅｒのプリエンファシス調整を行うプリエンファシス調整手段と、
前記診断プロセッサが、前記プリエンファシス調整手段における前記調整結果を調整済みデータとして保持する調整済みデータ格納手段と、
前記診断プロセッサが、前記調整済みデータ格納部に保持している前記調整済みデータを前記調整対象装置がそれぞれ持つ調整データ記憶領域に設定する初期化処理手段と、
を備えており、
前記記憶領域の調整データに従って各装置の全ｐｏｒｔに対するプリエンファシス調整を行うシステムとしてコンピュータを機能させるプリエンファシス調整自動化プログラムであって、
前記診断プロセッサが、前記調整対象装置の種類毎にエラー回数の閾値を保持する閾値格納手段と、
前記診断プロセッサが、各調整対象装置間に試験データを流し、Ｓｅｒｉａｌｉｚｅｒ／Ｄｅｓｅｒｉａｌｉｚｅｒ方式のシリアル伝送線路におけるデータ伝送の試験を行う伝送試験手段と、
前記診断プロセッサが、前記伝送試験でエラーが発生した場合はｐｏｒｔ毎のエラー回数をカウントするエラーカウント手段と、
前記エラー回数と前記閾値を比較し、前記閾値以上のエラーが発生したｐｏｒｔの接続関係に基づいて前記調整対象装置が交換されたかどうかを判断する交換装置判断手段と、
を更に備え、
前記プリエンファシス調整手段が、前記交換装置判断手段により交換されたと判断された前記調整対象装置のみを対象に再度前記プリエンファシス調整を行うことを特徴とするプリエンファシス調整自動化プログラム。
【発明の詳細な説明】
【技術分野】
【０００１】
本発明はＳｅｒＤｅｓ（SERializer/DESerializerの略）に関し、より詳細には、ＳｅｒＤｅｓプリエンファシスの調整に関する。
【背景技術】
【０００２】
近年、スーパーコンピュータ等の超高速コンピュータシステムにおいては、高速動作を実現するため、構成するＬＳＩ間（例えばＣＰＵ（Central Processing Unit）とＭＭＵ（Memory Management Unit）間）を超高速ＳｅｒＤｅｓインタフェースで接続する方式が採用されている。
【０００３】
ＳｅｒＤｅｓインタフェースでは伝送速度が高速になるほど、伝送信号に減衰や波形歪みが発生し正確な伝送ができなくなるため、減衰、歪みが最小になるように予め送信側の信号を強調するプリエンファシスが必要である。そのため、装置の稼動前に伝送パス毎の固有の調整を行っている。また、装置を交換すると、交換した装置に関する伝送パスの伝送特性が変わるため、そのパスについてプリエンファシスの再調整が必要となる。更に、装置の寿命管理のために訂正可能障害の統計情報を蓄積しているが、装置交換に伴い、当該装置を対象とした統計情報を初期化する必要がある。
【０００４】
例えば、ＳｅｒＤｅｓ方式のシリアル伝送線路ではないが、波長多重光伝送システムにおけるプリエンファシス制御方法が特許文献１に記載されている。
【０００５】
特許文献１に記載の技術（特に、特許文献１の明細書段落番号［００１５］、図１参照）では、集中管理装置を設け、集中管理装置で回線状態を監視することにより、運用開始後の伝送路の変化、経年劣化による装置状態の変化、仕様波長数の増減を検出し、再調整を自動的に行う。そして、運用開始後の経年変化により、伝送信号に減衰や波形歪みに変化が生じ、正確な伝送ができなくなった時に再調整を行うことにより、安定した運用を継続することを目的とし、そのため、回線の経過日時、波長変動を監視する。
【０００６】
また、プリエンファシス機能を有する出力バッファ回路の、調整可能なプリエンファシス量を調整して、実使用状態の擬似的な伝送損失を実現して、ＬＳＩ単体または短い配線を接続した状態で、受信回路の性能テストを実施する出力バッファ回路を提供するといった技術も存在する（例えば特許文献２参照）。
【先行技術文献】
【特許文献】
【０００７】
【特許文献１】特開２００３−１４３１１３号公報
【特許文献２】特開２００８−２５９０９３号公報
【発明の概要】
【発明が解決しようとする課題】
【０００８】
しかしながら、特許文献１に記載の技術は波長多重光伝送システムに関する技術であり、そのままＳｅｒＤｅｓ方式のシリアル伝送線路に適用できるものではない。
【０００９】
また、特許文献２に記載の技術は、擬似的な伝送損失を実現して、性能テストを行う技術であり、実際に実装した状態での測定を実現するものではない。
【００１０】
そこで、ＳｅｒＤｅｓに関する一般的な技術では、装置毎にＲＯＭ（Read Only Memory）等を搭載し、識別情報（例えばパッケージＩＤ）を保持することにより、装置個体を識別し、各装置の記憶領域に保持する装置間におけるＳｅｒＤｅｓプリエンファシスの調整値が適用可能か判断できるようにしている。もっとも、このような技術をスーパーコンピュータ等の超高速コンピュータシステムにおいて用いる場合、以下のような問題が生じる。
【００１１】
第１の問題点は、装置毎の識別情報をハードウェア（以下、適宜「ＨＷ」と表記する。）に保持する方法は、超高速コンピュータシステムでは採用できないことである。
【００１２】
その理由は、多数の装置を並列に接続して高速動作を実現する超高速コンピュータシステムでは、個体の識別情報を保持するためのＲＯＭ等の搭載によるＨＷ量の増加は、大幅なコスト増の原因となるためである。
【００１３】
第２の問題点は、保守工数の増加、操作漏れやオペレーションミスにより正常稼動時におけるエラーの発生を完全には排除できないことである。
【００１４】
その理由は、超高速コンピュータシステムにおいて上述した装置毎の識別情報をＨＷに保持する方法が採用できないことから、装置交換時における保守員の人手操作による当該装置に対するプリエンファシス調整と訂正可能障害の統計情報の初期化がどうしても必要となるからである。
【００１５】
装置毎の識別情報をＨＷに保持することなく、人手操作によらなくともＳｅｒＤｅｓプリエンファシスの調整が可能な、ＳｅｒＤｅｓプリエンファシス調整の自動化システム、その方法及びそのプログラムを提供することを目的とする。
【課題を解決するための手段】
【００１６】
本発明の第１の観点によれば、Ｓｅｒｉａｌｉｚｅｒ／Ｄｅｓｅｒｉａｌｉｚｅｒ方式のシリアル伝送線路で接続されている複数の調整対象装置と、当該調整対象装置のそれぞれと診断用のバスで接続されている診断プロセッサと、を有しているプリエンファシス調整の自動化システムにおいて、前記診断プロセッサが、前記調整対象装置の電源を投入する電源制御手段と、前記診断プロセッサが、電源の投入された前記調整対象装置の全ｐｏｒｔについてＳｅｒｉａｌｉｚｅｒ／Ｄｅｓｅｒｉａｌｉｚｅｒのプリエンファシス調整を行うプリエンファシス調整手段と、前記診断プロセッサが、前記プリエンファシス調整手段における前記調整結果を調整済みデータとして保持する調整済みデータ格納手段と、前記診断プロセッサが、前記調整済みデータ格納部に保持している前記調整済みデータを前記調整対象装置がそれぞれ持つ調整データ記憶領域に設定する初期化処理手段と、を備えており、前記記憶領域の調整データに従って各装置の全ｐｏｒｔに対するプリエンファシス調整を行うプリエンファシス調整自動化システムであって、前記診断プロセッサと接続され記憶装置を備えた保守用プロセッサと、前記診断プロセッサが、前記調整済みデータ格納部に保持する前記調整済みデータを前記保守用プロセッサに送付する手段と、前記診断プロセッサが、前記診断プロセッサ起動時に調整済みデータ格納部に有意な前記調整済みデータが保存されていない場合は、前記保守用プロセッサに前記調整済みデータの読み出しを要求する手段と、前記保守用プロセッサが、前記診断プロセッサから送付された前記調整済みデータを自らが備えている前記記憶装置に保持する記憶手段と、前記保守用プロセッサが、前記診断プロセッサからの前記読み出し要求に応じて、前記保持している調整済みデータを前記診断プロセッサに送付する手段と、を更に備え、前記初期化処理手段は、前記診断プロセッサ起動時に調整済みデータ格納部に有意な前記調整済みデータが保存されていない場合は、前記要求に応じて前記保守用プロセッサから送付されてきた前記調整済みデータを前記調整対象装置がそれぞれ持つ調整データ記憶領域に設定することを特徴とするプリエンファシス調整自動化システムが提供される。
また、本発明の第２の観点によれば、Ｓｅｒｉａｌｉｚｅｒ／Ｄｅｓｅｒｉａｌｉｚｅｒ方式のシリアル伝送線路で接続されている複数の調整対象装置と、当該調整対象装置のそれぞれと診断用のバスで接続されている診断プロセッサと、を有しているプリエンファシス調整の自動化システムにおいて、前記診断プロセッサが、前記調整対象装置の電源を投入する電源制御手段と、前記診断プロセッサが、電源の投入された前記調整対象装置の全ｐｏｒｔについてＳｅｒｉａｌｉｚｅｒ／Ｄｅｓｅｒｉａｌｉｚｅｒのプリエンファシス調整を行うプリエンファシス調整手段と、前記診断プロセッサが、前記プリエンファシス調整手段における前記調整結果を調整済みデータとして保持する調整済みデータ格納手段と、前記診断プロセッサが、前記調整済みデータ格納部に保持している前記調整済みデータを前記調整対象装置がそれぞれ持つ調整データ記憶領域に設定する初期化処理手段と、を備えており、前記記憶領域の調整データに従って各装置の全ｐｏｒｔに対するプリエンファシス調整を行うプリエンファシス調整自動化システムであって、前記診断プロセッサが、前記調整対象装置の種類毎にエラー回数の閾値を保持する閾値格納手段と、前記診断プロセッサが、各調整対象装置間に試験データを流し、Ｓｅｒｉａｌｉｚｅｒ／Ｄｅｓｅｒｉａｌｉｚｅｒ方式のシリアル伝送線路におけるデータ伝送の試験を行う伝送試験手段と、前記診断プロセッサが、前記伝送試験でエラーが発生した場合はｐｏｒｔ毎のエラー回数をカウントするエラーカウント手段と、前記エラー回数と前記閾値を比較し、前記閾値以上のエラーが発生したｐｏｒｔの接続関係に基づいて前記調整対象装置が交換されたかどうかを判断する交換装置判断手段と、を更に備え、前記プリエンファシス調整手段が、前記交換装置判断手段により交換されたと判断された前記調整対象装置のみを対象に再度前記プリエンファシス調整を行うことを特徴とするプリエンファシス調整自動化システムが提供される。
【００１７】
本発明の第３の観点によれば、Ｓｅｒｉａｌｉｚｅｒ／Ｄｅｓｅｒｉａｌｉｚｅｒ方式のシリアル伝送線路で接続されている複数の調整対象装置と、当該調整対象装置のそれぞれと診断用のバスで接続されている診断プロセッサと、を有しているシステムが行うプリエンファシス調整の自動化において、前記診断プロセッサが、前記調整対象装置の電源を投入する電源制御ステップと、前記診断プロセッサが、電源の投入された前記調整対象装置の全ｐｏｒｔについてＳｅｒｉａｌｉｚｅｒ／Ｄｅｓｅｒｉａｌｉｚｅｒのプリエンファシス調整を行うプリエンファシス調整ステップと、前記診断プロセッサが、前記プリエンファシス調整ステップにおける前記調整結果を調整済みデータとして調整済みデータ格納部に保持させる調整済みデータ格納ステップと、前記診断プロセッサが、前記調整済みデータ格納部が保持している前記調整済みデータを前記調整対象装置がそれぞれ持つ調整データ記憶領域に設定する初期化処理ステップと、を備えており、前記記憶領域の調整データに従って各装置の全ｐｏｒｔに対するプリエンファシス調整を行うプリエンファシス調整自動化方法であって、前記システムは前記診断プロセッサと接続され記憶装置を備えた保守用プロセッサを更に有しており、前記診断プロセッサが、前記調整済みデータ格納部が保持する前記調整済みデータを前記保守用プロセッサに送付するステップと、前記診断プロセッサが、前記診断プロセッサ起動時に調整済みデータ格納部に有意な前記調整済みデータが保存されていない場合は、前記保守用プロセッサに前記調整済みデータの読み出しを要求するステップと、前記保守用プロセッサが、前記診断プロセッサから送付された前記調整済みデータを自らが備えている前記記憶装置に保持する記憶ステップと、前記保守用プロセッサが、前記診断プロセッサからの前記読み出し要求に応じて、前記保持している調整済みデータを前記診断プロセッサに送付するステップと、を更に備え、前記診断プロセッサ起動時に調整済みデータ格納部に有意な前記調整済みデータが保存されていない場合は、前記要求に応じて前記保守用プロセッサから送付されてきた前記調整済みデータを前記調整対象装置がそれぞれ持つ調整データ記憶領域に設定することを特徴とするプリエンファシス調整自動化方法が提供される。
また、本発明の第４の観点によれば、Ｓｅｒｉａｌｉｚｅｒ／Ｄｅｓｅｒｉａｌｉｚｅｒ方式のシリアル伝送線路で接続されている複数の調整対象装置と、当該調整対象装置のそれぞれと診断用のバスで接続されている診断プロセッサと、を有しているシステムが行うプリエンファシス調整の自動化において、前記診断プロセッサが、前記調整対象装置の電源を投入する電源制御ステップと、前記診断プロセッサが、電源の投入された前記調整対象装置の全ｐｏｒｔについてＳｅｒｉａｌｉｚｅｒ／Ｄｅｓｅｒｉａｌｉｚｅｒのプリエンファシス調整を行うプリエンファシス調整ステップと、前記診断プロセッサが、前記プリエンファシス調整ステップにおける前記調整結果を調整済みデータとして調整済みデータ格納部に保持させる調整済みデータ格納ステップと、前記診断プロセッサが、前記調整済みデータ格納部が保持している前記調整済みデータを前記調整対象装置がそれぞれ持つ調整データ記憶領域に設定する初期化処理ステップと、を備えており、前記記憶領域の調整データに従って各装置の全ｐｏｒｔに対するプリエンファシス調整を行うプリエンファシス調整自動化方法であって、前記診断プロセッサが、前記調整対象装置の種類毎にエラー回数の閾値を保持する閾値格納ステップと、前記診断プロセッサが、各調整対象装置間に試験データを流し、Ｓｅｒｉａｌｉｚｅｒ／Ｄｅｓｅｒｉａｌｉｚｅｒ方式のシリアル伝送線路におけるデータ伝送の試験を行う伝送試験ステップと、前記診断プロセッサが、前記伝送試験でエラーが発生した場合はｐｏｒｔ毎のエラー回数をカウントするエラーカウントステップと、前記エラー回数と前記閾値を比較し、前記閾値以上のエラーが発生したｐｏｒｔの接続関係に基づいて前記調整対象装置が交換されたかどうかを判断する交換装置判断ステップと、を更に備え、前記交換装置判断ステップにより交換されたと判断された前記調整対象装置のみを対象に再度前記プリエンファシス調整を行うことを特徴とするプリエンファシス調整自動化方法が提供される。
【００１８】
本発明の第５の観点によれば、Ｓｅｒｉａｌｉｚｅｒ／Ｄｅｓｅｒｉａｌｉｚｅｒ方式のシリアル伝送線路で接続されている複数の調整対象装置と、当該調整対象装置のそれぞれと診断用のバスで接続されている診断プロセッサと、を有しているシステムに組み込まれるプリエンファシス調整の自動化プログラムにおいて、前記診断プロセッサが、前記調整対象装置の電源を投入する電源制御手段と、前記診断プロセッサが、電源の投入された前記調整対象装置の全ｐｏｒｔについてＳｅｒｉａｌｉｚｅｒ／Ｄｅｓｅｒｉａｌｉｚｅｒのプリエンファシス調整を行うプリエンファシス調整手段と、前記診断プロセッサが、前記プリエンファシス調整手段における前記調整結果を調整済みデータとして保持する調整済みデータ格納手段と、前記診断プロセッサが、前記調整済みデータ格納部に保持している前記調整済みデータを前記調整対象装置がそれぞれ持つ調整データ記憶領域に設定する初期化処理手段と、を備えており、前記記憶領域の調整データに従って各装置の全ｐｏｒｔに対するプリエンファシス調整を行うシステムとしてコンピュータを機能させるプリエンファシス調整自動化プログラムであって、前記診断プロセッサと接続され記憶装置を備えた保守用プロセッサと、前記診断プロセッサが、前記調整済みデータ格納部に保持する前記調整済みデータを前記保守用プロセッサに送付する手段と、前記診断プロセッサが、前記診断プロセッサ起動時に調整済みデータ格納部に有意な前記調整済みデータが保存されていない場合は、前記保守用プロセッサに前記調整済みデータの読み出しを要求する手段と、前記保守用プロセッサが、前記診断プロセッサから送付された前記調整済みデータを自らが備えている前記記憶装置に保持する記憶手段と、前記保守用プロセッサが、前記診断プロセッサからの前記読み出し要求に応じて、前記保持している調整済みデータを前記診断プロセッサに送付する手段と、を更に備え、前記初期化処理手段は、前記診断プロセッサ起動時に調整済みデータ格納部に有意な前記調整済みデータが保存されていない場合は、前記要求に応じて前記保守用プロセッサから送付されてきた前記調整済みデータを前記調整対象装置がそれぞれ持つ調整データ記憶領域に設定することを特徴とするプリエンファシス調整自動化プログラムが提供される。
また、本発明の第６の観点によれば、Ｓｅｒｉａｌｉｚｅｒ／Ｄｅｓｅｒｉａｌｉｚｅｒ方式のシリアル伝送線路で接続されている複数の調整対象装置と、当該調整対象装置のそれぞれと診断用のバスで接続されている診断プロセッサと、を有しているシステムに組み込まれるプリエンファシス調整の自動化プログラムにおいて、前記診断プロセッサが、前記調整対象装置の電源を投入する電源制御手段と、前記診断プロセッサが、電源の投入された前記調整対象装置の全ｐｏｒｔについてＳｅｒｉａｌｉｚｅｒ／Ｄｅｓｅｒｉａｌｉｚｅｒのプリエンファシス調整を行うプリエンファシス調整手段と、前記診断プロセッサが、前記プリエンファシス調整手段における前記調整結果を調整済みデータとして保持する調整済みデータ格納手段と、前記診断プロセッサが、前記調整済みデータ格納部に保持している前記調整済みデータを前記調整対象装置がそれぞれ持つ調整データ記憶領域に設定する初期化処理手段と、を備えており、前記記憶領域の調整データに従って各装置の全ｐｏｒｔに対するプリエンファシス調整を行うシステムとしてコンピュータを機能させるプリエンファシス調整自動化プログラムであって、前記診断プロセッサが、前記調整対象装置の種類毎にエラー回数の閾値を保持する閾値格納手段と、前記診断プロセッサが、各調整対象装置間に試験データを流し、Ｓｅｒｉａｌｉｚｅｒ／Ｄｅｓｅｒｉａｌｉｚｅｒ方式のシリアル伝送線路におけるデータ伝送の試験を行う伝送試験手段と、前記診断プロセッサが、前記伝送試験でエラーが発生した場合はｐｏｒｔ毎のエラー回数をカウントするエラーカウント手段と、前記エラー回数と前記閾値を比較し、前記閾値以上のエラーが発生したｐｏｒｔの接続関係に基づいて前記調整対象装置が交換されたかどうかを判断する交換装置判断手段と、を更に備え、前記プリエンファシス調整手段が、前記交換装置判断手段により交換されたと判断された前記調整対象装置のみを対象に再度前記プリエンファシス調整を行うことを特徴とするプリエンファシス調整自動化プログラムが提供される。
【発明の効果】
【００１９】
本発明によれば、調整済みデータを利用することから装置毎の識別情報をＨＷに保持することなく、人手操作によらなくともＳｅｒＤｅｓプリエンファシスの調整を行うことが可能となる。
【図面の簡単な説明】
【００２０】
【図１】本発明の実施形態の基本的構成を表す図である。
【図２−１】本発明の実施形態における診断プロセッサの基本的構成を表す図である。
【図２−２】本発明の実施形態における保守用プロセッサの基本的構成を表す図である。
【図３】本発明の第１の実施形態の基本的構成を表す図である。
【図４】本発明の第２の実施形態の基本的構成を表す図である。
【図５】本発明の第３の実施形態の基本的構成を表す図である。
【図６】本発明の第４の実施形態の基本的構成を表す図である。
【図７】本発明の第１の実施形態の基本的動作を表す図である。
【図８】本発明の第２の実施形態の基本的動作を表す図である。
【図９】本発明の第３の実施形態の基本的動作を表す図である。
【図１０】本発明の第４の実施形態の基本的動作を表す図である。
【発明を実施するための形態】
【００２１】
まず、本発明の実施形態の概略を説明する。今回は４つの実施形態について説明する。
【００２２】
本発明の第１の実施形態は以下のようなものである。
【００２３】
ＳｅｒＤｅｓ方式のシリアル伝送線路を持つ各装置の全ｐｏｒｔについて、ＳｅｒＤｅｓプリエンファシス調整を行い、各装置の有するＳｅｒＤｅｓの調整データを保持する記憶領域（電源をＯＦＦすると内容が破棄される揮発性の記憶領域）に設定された調整データを用いてデータ伝送線路を最適な状態に調整してからデータ伝送を行う。電源投入直後で各装置の記憶領域に調整データが保持されていない場合は、診断プロセッサの調整済みデータ格納部から、診断プロセッサが各装置の記憶領域に調整データを設定することにより、ホストコンピュータの電源投入時において、初期状態から最適値を設定するためにプリエンファシス調整を行うことによるホストコンピュータの立ち上げ時間の長時間化を防ぐ。
【００２４】
また、本発明の第２の実施形態は以下のようなものである。
【００２５】
診断プロセッサの故障による交換により、診断プロセッサの調整済みデータ格納部にプリエンファシス調整結果のデータが保持されていない場合に、保守用プロセッサに保存したデータを読み出す。これにより、ホストコンピュータ内全装置全ｐｏｒｔのプリエンファシス調整を初期値からやり直す必要がなく、診断プロセッサ交換後のホストコンピュータの立ち上げ時間を短縮する。
【００２６】
更に、本発明の第３の実施形態は以下のようなものである。
【００２７】
診断プロセッサが、ホストコンピュータ起動後にＳｅｒＤｅｓ方式のシリアル伝送線路におけるデータ伝送の試験を行い、エラーの発生回数と、エラーが発生するｐｏｒｔと各装置の接続関係から、当該装置について、診断プロセッサおよび保守用プロセッサに保持する調整データが適正であるかを判断する。閾値を超えてエラーが発生する場合は、装置が交換されたと判断し、当該装置に関してのみプリエンファシス調整をし直すことにより、装置交換後のプリエンファシス調整を自動化および短時間化する。また、装置の個体識別情報を保持するＲＯＭ等を装置毎に搭載する必要を無くしてＨＷ量の増加を防ぐ。
【００２８】
加えて、本発明の第４の実施形態は以下のようなものである。
【００２９】
ＳｅｒＤｅｓ方式のシリアル伝送線路における訂正可能障害の発生傾向により装置交換の時期を判断するため、訂正可能障害の統計情報を蓄積しているが、プリエンファシス調整の自動化に伴い、診断プロセッサが、装置が交換されたと判断して当該装置のプリエンファシス調整をし直す際、診断プロセッサから保守用プロセッサに装置交換を通知する。これにより、保守用プロセッサに保存している当該装置に対する訂正可能障害の統計情報を消去し、訂正可能障害履歴管理を自動化する。
【００３０】
なお、保守用プロセッサから読み出してもなお、診断プロセッサの調整済みデータ格納部に調整データが格納されていない場合や、装置交換により診断プロセッサの保持する調整データが使用できない場合は、初期状態から最適値を設定するためにプリエンファシス調整を行うか、または、保守員による保守用プロセッサからの指示により、当該装置を指定してプリエンファシス調整を行う。
【００３１】
以上が本願発明の実施形態の概略である。
【００３２】
次に、本発明の実施形態の構成について図面を参照して詳細に説明する。
【００３３】
図１には、本発明の実施形態におけるコンピュータシステムの基本的構成として、それぞれがＳｅｒＤｅｓ方式のシリアル伝送線路７０で接続された複数のＣＰＵ、ＭＭＵ、ＩＯＰ（Input/Output Processor）と診断プロセッサ４０を有している。また、各装置（ＣＰＵ、ＭＭＵ、ＩＯＰ）は内部診断バス８０で診断プロセッサ４０と接続されるホストコンピュータ１００と、外部記憶装置（ＨＤＤ（Hard disk drive）やＳＳＤ（solid state drive）に代表される記憶装置）６０を有する保守用プロセッサ５０からなり、診断プロセッサ４０と保守用プロセッサ５０が外部診断用バス９０で接続される構成が示されている。
【００３４】
なお、伝送線路７０で接続される装置としてＣＰＵ、ＭＭＵ、ＩＯＰを例示したがこれ以外の装置が接続されていてもよい。また、各装置の個数も任意の個数であってよい。なお、これら伝送線路７０で接続されるＣＰＵ等は本願発明における「調整対象装置」に相当する。また、本実施形態では、伝送線路７０で接続される装置の一例としてＣＰＵ１０−１、１０−２及び１０−ｎと、ＭＭＵ２０−１、２０−２及び２０−ｍと、ＩＯＰ３０−１及び３０−ｓを図示する。なお、以下の説明では符号を付さずに「ＣＰＵ」と記述した場合はＣＰＵ１０−１、１０−２及び１０−ｎの全てを指すものとする。同様に、「ＭＭＵ」は、ＭＭＵ２０−１、２０−２及び２０−ｍ、「ＩＯＰ」は、ＩＯＰ３０−１及び３０−ｓを指すものとする。
【００３５】
次に、図２−１及び図２−２を参照して診断プロセッサ４０及び保守用プロセッサ５０の構成について説明する。
【００３６】
図２−１には、診断プロセッサ４０の構成が詳細に示されている。図２−２には保守用プロセッサ５０の構成が詳細に示されている。なお、図２−１及び図２−２には、多くの部分や、テーブルが示されているが、実装するにあたり全ての部分やテーブルが必要となるわけではない。実施形態によっては各部やテーブルを省略することが可能である。
【００３７】
なお、具体的な実施形態については後述する。
【００３８】
図２−１を参照すると診断プロセッサ４０は、該診断プロセッサ４０が構成されるホストコンピュータ１００内の各装置（ＣＰＵ、ＭＭＵ、ＩＯＰ）の制御を目的としたＨＷ制御部４２を有する。ＨＷ制御部４２は、電源の制御を行う電源制御部４５、初期化処理を行う初期化処理部４６を有している。また、加えてプリエンファシス調整を行うプリエンファシス調整部４３を有している。更に、保守用プロセッサ５０と通信を行うための保守用プロセッサ通信部４８を有している。
【００３９】
また、下述する第３の実施形態で用いられる、各装置（ＣＰＵ、ＭＭＵ、ＩＯＰ）間に試験データを流し、ＳｅｒＤｅｓ方式のシリアル伝送線路７０におけるデータ伝送の試験を行う伝送試験部４７、伝送試験でエラーが発生した場合はエラー回数をカウントし、エラー回数と閾値との比較により、閾値以上のエラーが発生したｐｏｒｔの接続関係から装置が交換されたかどうかを判断する交換装置判断部４４を有している。
【００４０】
診断プロセッサ４０の記憶装置（図２−１では一例としてフラッシュメモリ４１を示す）に、各装置のＳｅｒＤｅｓの調整データを保持する調整済みデータ格納部４１ａと、各装置についてエラー回数の閾値を保持する閾値テーブル４１ｂと、各装置の全ｐｏｒｔそれぞれについてエラー回数を記憶するエラーカウントテーブル４１ｃを有している。
【００４１】
ここで、閾値テーブル４１ｂは、各装置（ＣＰＵ、ＭＭＵ、ＩＯＰ）の種類毎に、「プリエンファシス調整失敗」と判断する基準となるエラー回数を閾値として保持するテーブルである。
【００４２】
また、エラー回数を記憶するエラーカウントテーブル４１ｃは、各装置間に試験データを流し、ＳｅｒＤｅｓ方式のシリアル伝送線路７０におけるデータ伝送の試験を行う時に各装置（ＣＰＵ、ＭＭＵ、ＩＯＰ）の全ｐｏｒｔそれぞれについてエラー回数を計上するテーブルである。
【００４３】
各テーブルについては、図の下部に具体例を示す。なお、エラーカウントテーブル４１ｃの破線で囲んだ箇所を参照すると、交換装置の全ｐｏｒｔと各装置の交換装置接続ｐｏｒｔでエラーが多発していることが分かる。
【００４４】
次に、図２−２を参照すると保守用プロセッサ５０は、システムの保守や各装置の操作を目的として使用者がシステムを操作するためのユーザインタフェース５５と、ＨＷの操作を行うＨＷ操作部５２、ＨＷの構成を制御する構成制御部５３、ログ（当該装置に対する訂正可能障害の統計情報）をクリアするログクリア部５４を有する。更に、操作指示を診断プロセッサ４０に通信し、診断プロセッサ４０からの通信を受信するための診断プロセッサ通信部５１を有する。また、ＨＷの障害や使用者の操作のログなどの各種情報を記憶する外部記憶装置６０を有している。
【００４５】
なお、ログクリア部５４がログをクリアする前提として、ログを登録する機能が必要となる。またログを使用者に提示するための表示機能が存在してもよい。しかしながらこのログを登録、表示する機能は、本実施形態の動作と直接関係する機能ではないので、本実施形態の動作に直接関係するログクリア部５４のみを図示し、ログを登録、表示する機能は、図示を省略する。
【００４６】
外部記憶装置６０に保持されるＥＣＣログ記録部６０ａは、各装置で検出された訂正可能障害の発生履歴を記録し、その回数によって、故障の固定化や発生頻度による重障害化の傾向を判断するために使用する。また、調整済みデータ保存部６０ｂは、各装置のＳｅｒＤｅｓの調整データを保存する部分である。
【００４７】
診断プロセッサ４０と保守用プロセッサ５０の通信について説明する。
【００４８】
保守用プロセッサ５０のユーザインタフェース５５に対するユーザの指示により、ホストコンピュータ１００に対する操作指示（電源投入、初期化など）が行われる。次に、保守用プロセッサ５０は診断プロセッサ通信機能５１により、診断バス９０を介して、操作対象の装置に対して指示を送信し、送信した指示を実行した結果が診断プロセッサ４０から返却されるのを待つ。
【００４９】
保守用プロセッサ５０の通信機能からの通信を受け取った診断プロセッサ４０は、指示に応じた機能を起動する。具体的には、指示が、電源投入であれば電源制御部４５がＨＷを制御し、該当装置の電源を制御する。診断プロセッサ４０が受信した指示が装置の初期化であれば、初期化処理部４６を起動し、初期化処理部４６がＨＷ制御し、該当する装置の初期設定を行う。診断プロセッサ４０は機能完了時には保守用プロセッサ５０に指示の実行結果を返却する。保守用プロセッサ５０では、操作に対する実行結果により、必要であれば、次の操作を行う。
【００５０】
図３には、本実施形態の第１の実施形態の、各装置（ＣＰＵ、ＭＭＵ、ＩＯＰ）と、診断プロセッサ４０と保守用プロセッサ５０がそれぞれ有している各部が示されている。
【００５１】
各装置（ＣＰＵ、ＭＭＵ、ＩＯＰ）はそれぞれが、ＳｅｒＤｅｓの調整データを保持する記憶領域を有している。
【００５２】
診断プロセッサ４０は、データを保持する記憶装置（一例としてフラッシュメモリ４１を示す）を有し、記憶装置内に各装置のＳｅｒＤｅｓの調整データを保持する調整済みデータ格納部４１ａを有している。また、診断プロセッサ４０は、ＨＷ制御群４９を有している。ＨＷ制御群４９は、各装置の電源を投入する機能と、各装置の全ｐｏｒｔについてプリエンファシス調整の結果を調整済みデータ格納部４１ａに保持する機能と、調整済みデータ格納部４１ａに保持しているＳｅｒＤｅｓの調整結果データを各装置が持つ調整データの記憶領域に設定する機能と、を有している。ＨＷ制御群４９は、具体的には図２−１のＨＷ制御部４２、電源制御部４５、初期化処理部４６に相当する。
【００５３】
更に、診断プロセッサ４０は、記憶領域の調整データに従って各装置の全ｐｏｒｔに対するプリエンファシス調整を行うプリエンファシス調整部４３と、保守用プロセッサ５０と通信する保守用プロセッサ通信部４８を有している。
【００５４】
保守用プロセッサ５０は、システムの保守や各装置の操作を目的として使用者がシステムを操作するための保守操作群５６を有する。保守操作群５６は具体的には、図２−２のユーザインタフェース５５、ＨＷ操作部５２、構成制御部５３に相当する。
【００５５】
更に、保守用プロセッサ５０は、操作指示を診断プロセッサ４０に通信したり、診断プロセッサ４０からの通信を受信するための診断プロセッサ通信部５１を有し、ＨＷの障害や使用者の操作のログなどの各種情報を記憶する外部記憶装置６０を有している。
【００５６】
図４には、本実施形態の第２の実施形態の、各装置（ＣＰＵ、ＭＭＵ、ＩＯＰ）と、診断プロセッサ４０と保守用プロセッサ５０がそれぞれ有している各部が示されている。図３に示す第１の実施形態との違いは、保守用プロセッサ５０の外部記憶装置６０に各装置のＳｅｒＤｅｓの調整データを保存する調整済みデータ保存部６０ｂを有することである。
【００５７】
図５には、本実施形態の第３の実施形態の、各装置（ＣＰＵ、ＭＭＵ、ＩＯＰ）と、診断プロセッサ４０と保守用プロセッサ５０がそれぞれ有している各部が示されている。図４に示す第２の実施形態との違いは、診断プロセッサ４０が自身の記憶装置に、各装置についてエラー回数の閾値を保持する閾値テーブル４１ｂと、各装置の全ｐｏｒｔそれぞれについてエラー回数を記憶するエラーカウントテーブル４１ｃを持つことである。加えて、各装置間に試験データを流し、ＳｅｒＤｅｓ方式のシリアル伝送線路７０におけるデータ伝送の試験を行う伝送試験部４７と、伝送試験でエラーが発生した場合はｐｏｒｔそれぞれのエラー回数をカウントし、エラー回数と閾値との比較により、閾値以上のエラーが発生したｐｏｒｔの接続関係から装置が交換されたかどうかを判断する交換装置判断部４４を有することも第２の実施形態との違いである。
【００５８】
図６には、本実施形態の第４の実施形態の、各装置（ＣＰＵ、ＭＭＵ、ＩＯＰ）と、診断プロセッサ４０と保守用プロセッサ５０がそれぞれ有している各部が示されている。図５に示す第３の実施形態との違いは、保守用プロセッサ５０が、診断プロセッサ４０からの交換装置の通知に従い、当該装置に対する訂正可能障害の統計情報を消去するログクリア処理部５４を有することである。交換装置の通知は、診断プロセッサ４０の交換装置判断機能で特定された装置を保守用プロセッサ通信機能により、診断プロセッサ４０から保守用プロセッサ５０に送付することにより、保守用プロセッサ５０に通知する。
【００５９】
なお、図６において保守用プロセッサ５０の外部記憶装置６０に示す訂正可能障害の統計情報であるＥＣＣログ記憶部６０ａは、第１の実施形態乃至第３の実施形態においても存在するが、第１の実施形態乃至第３の実施形態の動作内容には直接関係しないため、必須の構成例としての図示は省略している。
【００６０】
［実施形態の動作の説明］
次に、図７のフローチャートを参照して本発明の第１の実施形態の動作について詳細に説明する。
【００６１】
まず、保守用プロセッサ５０に対して、使用者の操作指示により初期化指示が投入される（ステップＳ１）。
【００６２】
次に、保守用プロセッサ５０は診断プロセッサ４０通信により、操作対象の診断プロセッサ４０に指示を送信する（ステップＳ２−１）。
【００６３】
初期化指示を送信された診断プロセッサ４０では、保守用プロセッサ通信部４８により通信を受信し（ステップＤ１−１）、指示内容を解析し、それが初期化指示であると判断すると初期化処理部４６を起動する（ステップＤ２）。
【００６４】
初期化処理部４６では、ＳｅｒＤｅｓ方式のシリアル伝送線路７０で接続された各装置（ＣＰＵ、ＭＭＵ、ＩＯＰ）に対してエンファシス調整を行うため、診断プロセッサ４０の記憶装置の調整済みデータ格納部４１ａに調整済みのデータが格納されているかどうかを確認する（ステップＤ３−１）。
【００６５】
調整済みデータが格納されている場合は、調整データを各装置に設定（ステップＤ４）し、以降の初期化処理を継続するが、調整済みデータが格納されていない場合は、プリエンファシス調整を行い（ステップＤ５）、調整結果を記憶装置の調整済みデータ格納部４１ａに保存して（ステップＤ６）、以降の初期化処理を行う。
【００６６】
次に、本発明の第１の実施形態の効果について説明する。
【００６７】
本発明の第１の実施形態では、電源投入直後で各装置の記憶領域に調整データが保持されていない場合は、診断プロセッサ４０の調整済みデータ格納部４１ａから、診断プロセッサ４０が各装置の記憶領域に調整データを設定することにより、ホストコンピュータ１００の電源投入時において、初期状態から最適値を設定するためにプリエンファシス調整を行うことができ、結果としてホストコンピュータ１００の立ち上げ時間の長時間化を防ぐことができる。
【００６８】
次に、図８のフローチャートを参照して本発明の第２の実施形態の動作について詳細に説明する。
【００６９】
なお、図７から図１０には、第１の実施形態から第４の実施形態のそれぞれにおける処理の概要が示されている。第２の実施形態以降の説明では、それ以前の実施形態との差分について、説明する。
【００７０】
まず、保守用プロセッサ５０に対して、使用者の操作指示により初期化指示が投入される（ステップＳ１）。
【００７１】
次に、保守用プロセッサ５０は診断プロセッサ通信部５１により、操作対象の診断プロセッサ４０に指示を送信する（ステップＳ２−１）。
【００７２】
初期化指示を送信された診断プロセッサ４０では、保守用プロセッサ通信部４８により通信を受信し（ステップＤ１−１）、指示内容を解析し、それが初期化指示であると判断すると初期化処理部４６を起動する（ステップＤ２）。
【００７３】
初期化処理部４６では、ＳｅｒＤｅｓ方式のシリアル伝送線路７０で接続された各装置（ＣＰＵ、ＭＭＵ、ＩＯＰ）に対してエンファシス調整を行うため、診断プロセッサ４０の記憶装置の調整済みデータ格納部４１ａに調整済みのデータが格納されているかどうかを確認する（ステップＤ３−１）。
【００７４】
ここまでは第１の実施形態と同じであるが、調整済みデータ格納部４１ａに調整済みのデータが格納されていない場合は、保守用プロセッサ５０に調整済みデータの読出しを要求する（ステップＤ１−３）。
【００７５】
ステップＤ１−３における要求を受けた保守用プロセッサ５０では、診断プロセッサ４０の通信を解析し、それが調整済みデータの読出し要求であると判断する（ステップＳ３）。
【００７６】
そして、外部記憶装置６０の調整済みデータ保存部６０ｂから調整済みデータを読出し、読み出した結果として、調整済みのデータまたは調整済みデータが存在しないことを、診断プロセッサ４０に送信する（ステップＳ２−４）。
【００７７】
診断プロセッサ４０では、保守用プロセッサ５０からの通信により、送付されたデータを調整済みデータ格納部４１ａに保存（ステップＤ６）し、調整済みデータが格納されている場合は、調整データを各装置に設定（ステップＤ４）する。保守用プロセッサ５０からの調整済みデータ読出し後も調整済みデータが無い場合（ステップＤ３−１）は、プリエンファシス調整を行い（ステップＤ５）、調整結果を記憶装置の調整済みデータ格納部４１ａに保存して（ステップＤ６）、調整済みデータを保守用プロセッサ５０に保存要求し（ステップＤ１−２）、以降の初期化処理を行う。保守用プロセッサ５０では、診断プロセッサ４０からの通信が調整済みデータ送付の場合（ステップＳ３）、外部記憶装置６０の調整済みデータ保存部６０ｂに調整済みデータを保存する（ステップＳ４）。
【００７８】
次に、本発明の第２の実施形態の効果について説明する。
【００７９】
本発明の第２の実施形態では、第１の実施形態と同じ効果を奏することができる。更に、第２の実施形態では診断プロセッサ４０の故障による交換により、診断プロセッサ４０の調整済みデータ格納部４１ａにプリエンファシス調整結果のデータが保持されていない場合に、保守用プロセッサ５０に保存したデータを読み出すことができる。そのため、ホストコンピュータ１００内全装置全ｐｏｒｔのプリエンファシス調整を初期値からやり直す必要がなく、診断プロセッサ４０交換後のホストコンピュータ１００の立ち上げ時間を短縮できる。
【００８０】
次に、図９のフローチャートを参照して本発明の第３の実施形態の動作について詳細に説明する。
【００８１】
図８に示した第２の実施形態との差は、診断プロセッサ４０の記憶装置に、各装置についてエラー回数の閾値を保持する閾値テーブル４１ｂと、各装置の全ｐｏｒｔそれぞれについてエラー回数を記憶するエラーカウントテーブル４１ｃを持つことである。
【００８２】
そして、ホストコンピュータ１００の初期化時において、調整データを各装置に設定（ステップＤ４）した後、各装置間に試験データを流し、ＳｅｒＤｅｓ方式のシリアル伝送線路７０におけるデータ伝送の試験を行う（ステップＤ７）。
【００８３】
そして、伝送試験でエラーが発生した場合はｐｏｒｔそれぞれのエラー回数をカウントし、エラー回数と閾値との比較により、閾値以上のエラーが発生しているｐｏｒｔがあった場合（ステップＤ８）、エラーカウントテーブル４１ｃを元に、当該ｐｏｒｔの接続関係から装置が交換されたかどうかを判断する。そして、交換されたと見なされる装置が特定できた場合（ステップＤ９）は、該当装置のプリエンファシス調整を行う（ステップＤ５）。
【００８４】
プリエンファシス調整を行った後は、調整結果を記憶装置の調整済みデータ格納部４１ａに保存して（ステップＤ６）、調整済みデータを保守用プロセッサ５０に保存要求し（ステップＤ１−２）、以降の初期化処理を行う。保守用プロセッサ５０では、診断プロセッサ４０からの通信が調整済みデータ送付の場合（ステップＳ３）、外部記憶装置６０に調整済みデータを保存する（ステップＳ４）。
【００８５】
なお、図９では説明を省略しているが、調整済みデータが診断プロセッサ４０の記憶装置の調整済みデータ格納部４１ａにも、保守用プロセッサ５０の外部記憶装置６０にも格納されていない場合について、診断プロセッサ４０は、ホストコンピュータ１００内全装置のプリエンファシス調整を行い、調整結果を記憶装置の調整済みデータ格納部４１ａに保存し、診断プロセッサ４０から保守用プロセッサ５０に調整済みデータを送付し、保守用プロセッサ５０の外部記憶装置６０に調整済みデータを保存する。
【００８６】
次に、本発明の第３の実施形態の効果について説明する。
【００８７】
本発明の第３の実施形態では、診断プロセッサ４０が、ホストコンピュータ１００起動後にＳｅｒＤｅｓ方式のシリアル伝送線路７０におけるデータ伝送の試験を行い、エラーの発生回数と、エラーが発生するｐｏｒｔと各装置の接続関係から、当該装置について、診断プロセッサ４０および保守用プロセッサ５０に保持する調整データが適正であるかを判断する。そして、閾値を超えてエラーが発生する場合は、装置が交換されたと判断し、当該装置に関してのみプリエンファシス調整をし直すことにより、装置交換後のプリエンファシス調整を自動化および短時間化し、また、装置の個体識別情報を保持するＲＯＭ等を装置毎に搭載する必要を無くしてＨＷ量の増加を防ぐことができる。
【００８８】
次に、図１０のフローチャートを参照して本発明の第４の実施形態の動作について詳細に説明する。
【００８９】
図９に示した第３の実施形態との差は、診断プロセッサ４０の伝送試験で閾値以上のエラーが発生し、装置が交換されたと判断した場合に、該当装置を保守用プロセッサ５０に通知し、保守用プロセッサ５０が該当装置に対する訂正可能障害の記録をクリアすることである。そのため、ホストコンピュータ１００の初期化指示により各装置のエンファシス調整を行った後、伝送線路７０に対してデータ転送の試験を行う。そして、各装置のエラー回数の閾値を超えて、エラーが発生したｐｏｒｔがあり、当該ｐｏｒｔの接続関係から交換されたと見なされる装置を特定できた場合（ステップＤ９）は、該当装置のプリエンファシス調整を行う（ステップＤ５）。
【００９０】
プリエンファシス調整を行った後は診断プロセッサ４０から保守用プロセッサ５０に交換装置を通知（ステップＤ１−３）してから、調整結果を記憶装置の調整済みデータ格納部４１ａに保存する（ステップＤ６）。加えて調整済みデータを保守用プロセッサ５０に保存要求し（ステップＤ１−２）、以降の初期化処理を行う。
【００９１】
保守用プロセッサ５０では、診断プロセッサ４０からの通信が交換装置の通知の場合（ステップＳ５）、外部記憶装置６０に記録している該当装置の訂正可能障害のエラーログをクリア（ステップＳ６）する。さらに、保守用プロセッサ５０では、診断プロセッサ４０からの通信が調整済みデータ送付の場合（ステップＳ３）、外部記憶装置６０に調整済みデータを保存する（ステップＳ４）。
【００９２】
図９で省略している動作は図１０でも省略している。すなわち、調整済みデータが診断プロセッサ４０の記憶装置の調整済みデータ格納部４１ａにも、保守用プロセッサ５０の外部記憶装置６０にも格納されていない場合、診断プロセッサ４０は、ホストコンピュータ１００内全装置のプリエンファシス調整を行う。そして、調整結果を記憶装置の調整済みデータ格納部４１ａに保存し、診断プロセッサ４０から保守用プロセッサ５０に調整済みデータを送付し、保守用プロセッサ５０の外部記憶装置６０に調整済みデータを保存するという動作を図１０でも行う。
【００９３】
なお、全装置のプリエンファシス調整を行う場合、診断プロセッサ４０から保守用プロセッサ５０に対する交換装置の通知は行わない。
【００９４】
次に、本発明の第４の実施形態の効果について説明する。
【００９５】
ＳｅｒＤｅｓ方式のシリアル伝送線路７０における訂正可能障害の発生傾向により装置交換の時期を判断するため、保守用プロセッサ５０の外部記憶装置６０に訂正可能障害の統計情報を蓄積している。もっとも、プリエンファシス調整の自動化に伴い、診断プロセッサ４０が、装置が交換されたと判断して当該装置のプリエンファシス調整をし直す際、診断プロセッサ４０から保守用プロセッサ５０に装置交換を通知する。これにより、保守用プロセッサ５０に保存している当該装置に対する訂正可能障害の統計情報を消去し、訂正可能障害履歴管理を自動化することにより、人手による保守操作を無くし、保守ミス等の心配がなくなる効果がある。
【００９６】
以上説明した本発明の実施形態は、以下に示すような多くの効果を奏する。
【００９７】
第１の効果は、多数の装置が接続されたコンピュータシステムで、プリエンファシス調整に要する時間が短縮できることにある。
【００９８】
その理由は、診断プロセッサおよび保守用プロセッサに調整済みデータを保持することにより、プリエンファシス調整時に設定データとして利用するためである。
【００９９】
第２の効果は、超高速コンピュータシステムにおいて、個体識別ＩＤを用いない方法で、交換装置に関するプリエンファシス調整ができることである。また、個体の識別情報を保持するためのＲＯＭ等の搭載によるＨＷ量の増加は、大幅なコスト増の原因となるが、このような構成をとる必要が無くなることである。
【０１００】
その理由は、ＳｅｒＤｅｓ方式のシリアル伝送線路に対する伝送試験を行うことにより、装置が交換されたかどうかを判断するためである。
【０１０１】
第３の効果は、交換装置に関する訂正可能障害の履歴情報を人手でクリアする必要がないため、保守作業の項目や作業時間を短縮し、作業漏れを無くすことができることにある。
【０１０２】
その理由は、伝送試験を行うことにより、装置が交換されたかどうかを判断する診断プロセッサからの通信によって、保守用プロセッサが交換された装置に対する訂正可能障害などのエラーログをクリアできるためである。
【０１０３】
なお、本発明の実施形態であるＳｅｒＤｅｓプリエンファシス調整の自動化システムは、ハードウェアにより実現することもできるが、コンピュータをそのＳｅｒＤｅｓプリエンファシス調整の自動化システムとして機能させるためのプログラムをコンピュータがコンピュータ読み取り可能な記録媒体から読み込んで実行することによっても実現することができる。
【０１０４】
また、本発明の実施形態によるＳｅｒＤｅｓプリエンファシス調整の自動化方法は、ハードウェアにより実現することもできるが、コンピュータにその方法を実行させるためのプログラムをコンピュータがコンピュータ読み取り可能な記録媒体から読み込んで実行することによっても実現することができる。
【０１０５】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【０１０６】
上記の実施形態の一部又は全部は、以下の付記のようにも記載されうるが、以下には限られない。
【０１０７】
（付記１）  Ｓｅｒｉａｌｉｚｅｒ／Ｄｅｓｅｒｉａｌｉｚｅｒ方式のシリアル伝送線路で接続されている複数の調整対象装置と、当該調整対象装置のそれぞれと診断用のバスで接続されている診断プロセッサと、を有しているシステムが行うプリエンファシス調整の自動化において、
前記診断プロセッサが、前記調整対象装置の電源を投入する電源制御ステップと、
前記診断プロセッサが、電源の投入された前記調整対象装置の全ｐｏｒｔについてＳｅｒｉａｌｉｚｅｒ／Ｄｅｓｅｒｉａｌｉｚｅｒのプリエンファシス調整を行うプリエンファシス調整ステップと、
前記診断プロセッサが、前記プリエンファシス調整ステップにおける前記調整結果を調整済みデータとして調整済みデータ格納部に保持させる調整済みデータ格納ステップと、
前記診断プロセッサが、前記調整済みデータ格納部が保持している前記調整済みデータを前記調整対象装置がそれぞれ持つ調整データ記憶領域に設定する初期化処理ステップと、
を備えており、
前記記憶領域の調整データに従って各装置の全ｐｏｒｔに対するプリエンファシス調整を行うことを特徴とするプリエンファシス調整自動化方法。
【０１０８】
（付記２）  付記１に記載のプリエンファシス調整自動化方法において、前記システムは前記診断プロセッサと接続され記憶装置を備えた保守用プロセッサを更に有しており、
前記診断プロセッサが、前記調整済みデータ格納部が保持する前記調整済みデータを前記保守用プロセッサに送付するステップと、
前記診断プロセッサが、前記診断プロセッサ起動時に調整済みデータ格納部に有意な前記調整済みデータが保存されていない場合は、前記保守用プロセッサに前記調整済みデータの読み出しを要求するステップと、
前記保守用プロセッサが、前記診断プロセッサから送付された前記調整済みデータを自らが備えている前記記憶装置に保持する記憶ステップと、
前記保守用プロセッサが、前記診断プロセッサからの前記読み出し要求に応じて、前記保持している調整済みデータを前記診断プロセッサに送付するステップと、
を更に備え、
前記診断プロセッサ起動時に調整済みデータ格納部に有意な前記調整済みデータが保存されていない場合は、前記要求に応じて前記保守用プロセッサから送付されてきた前記調整済みデータを前記調整対象装置がそれぞれ持つ調整データ記憶領域に設定することを特徴とするプリエンファシス調整自動化方法。
【０１０９】
（付記３）  付記２に記載のプリエンファシス調整自動化方法において、
前記診断プロセッサが、前記調整対象装置の種類毎にエラー回数の閾値を保持する閾値格納ステップと、
前記診断プロセッサが、各調整対象装置間に試験データを流し、Ｓｅｒｉａｌｉｚｅｒ／Ｄｅｓｅｒｉａｌｉｚｅｒ方式のシリアル伝送線路におけるデータ伝送の試験を行う伝送試験ステップと、
前記診断プロセッサが、前記伝送試験でエラーが発生した場合はｐｏｒｔ毎のエラー回数をカウントするエラーカウントステップと、
前記エラー回数と前記閾値を比較し、前記閾値以上のエラーが発生したｐｏｒｔの接続関係に基づいて前記調整対象装置が交換されたかどうかを判断する交換装置判断ステップと、
を更に備え、
前記交換装置判断ステップにより交換されたと判断された前記調整対象装置のみを対象に再度前記プリエンファシス調整を行うことを特徴とするプリエンファシス調整自動化方法。
【０１１０】
（付記４）  付記３に記載のプリエンファシス調整自動化方法において、
前記保守用プロセッサが、調整対象装置に対する訂正可能障害の統計情報を保持するログ記憶ステップと、
前記診断プロセッサが、前記交換装置判断ステップにより交換されたと判断された調整対象装置を前記保守用プロセッサに通知するステップと、
前記保守用プロセッサが、診断プロセッサからの交換された調整対象装置の通知に従い、当該調整対象装置に対する前記統計情報を消去するログクリアステップと、
を更に備え、
プリエンファシス調整の自動化に伴う訂正可能障害履歴管理も行うことを特徴とするプリエンファシス調整自動化方法。
【０１１１】
（付記５）  付記１乃至４の何れかに記載のプリエンファシス調整自動化方法において、
前記調整対象装置が、演算装置、主記憶装置及び入出力制御装置の何れか或いはその組合せであることを特徴とするプリエンファシス調整自動化方法。
【０１１２】
（付記６）  Ｓｅｒｉａｌｉｚｅｒ／Ｄｅｓｅｒｉａｌｉｚｅｒ方式のシリアル伝送線路で接続されている複数の調整対象装置と、当該調整対象装置のそれぞれと診断用のバスで接続されている診断プロセッサと、を有しているシステムに組み込まれるプリエンファシス調整の自動化プログラムにおいて、
前記診断プロセッサが、前記調整対象装置の電源を投入する電源制御手段と、
前記診断プロセッサが、電源の投入された前記調整対象装置の全ｐｏｒｔについてＳｅｒｉａｌｉｚｅｒ／Ｄｅｓｅｒｉａｌｉｚｅｒのプリエンファシス調整を行うプリエンファシス調整手段と、
前記診断プロセッサが、前記プリエンファシス調整手段における前記調整結果を調整済みデータとして保持する調整済みデータ格納手段と、
前記診断プロセッサが、前記調整済みデータ格納部に保持している前記調整済みデータを前記調整対象装置がそれぞれ持つ調整データ記憶領域に設定する初期化処理手段と、
を備えており、
前記記憶領域の調整データに従って各装置の全ｐｏｒｔに対するプリエンファシス調整を行うシステムとしてコンピュータを機能させることを特徴とするプリエンファシス調整自動化プログラム。
【０１１３】
（付記７）  付記６に記載のプリエンファシス調整自動化プログラムにおいて、
前記診断プロセッサと接続され記憶装置を備えた保守用プロセッサと、
前記診断プロセッサが、前記調整済みデータ格納部に保持する前記調整済みデータを前記保守用プロセッサに送付する手段と、
前記診断プロセッサが、前記診断プロセッサ起動時に調整済みデータ格納部に有意な前記調整済みデータが保存されていない場合は、前記保守用プロセッサに前記調整済みデータの読み出しを要求する手段と、
前記保守用プロセッサが、前記診断プロセッサから送付された前記調整済みデータを自らが備えている前記記憶装置に保持する記憶手段と、
前記保守用プロセッサが、前記診断プロセッサからの前記読み出し要求に応じて、前記保持している調整済みデータを前記診断プロセッサに送付する手段と、
を更に備え、
前記初期化処理手段は、前記診断プロセッサ起動時に調整済みデータ格納部に有意な前記調整済みデータが保存されていない場合は、前記要求に応じて前記保守用プロセッサから送付されてきた前記調整済みデータを前記調整対象装置がそれぞれ持つ調整データ記憶領域に設定することを特徴とするプリエンファシス調整自動化プログラム。
【０１１４】
（付記８）  付記７に記載のプリエンファシス調整自動化プログラムにおいて、
前記診断プロセッサが、前記調整対象装置の種類毎にエラー回数の閾値を保持する閾値格納手段と、
前記診断プロセッサが、各調整対象装置間に試験データを流し、Ｓｅｒｉａｌｉｚｅｒ／Ｄｅｓｅｒｉａｌｉｚｅｒ方式のシリアル伝送線路におけるデータ伝送の試験を行う伝送試験手段と、
前記診断プロセッサが、前記伝送試験でエラーが発生した場合はｐｏｒｔ毎のエラー回数をカウントするエラーカウント手段と、
前記エラー回数と前記閾値を比較し、前記閾値以上のエラーが発生したｐｏｒｔの接続関係に基づいて前記調整対象装置が交換されたかどうかを判断する交換装置判断手段と、
を更に備え、
プリエンファシス調整手段が、前記交換装置判断手段により交換されたと判断された前記調整対象装置のみを対象に再度前記プリエンファシス調整を行うことを特徴とするプリエンファシス調整自動化プログラム。
【０１１５】
（付記９）  付記８に記載のプリエンファシス調整自動化プログラムにおいて、
前記保守用プロセッサが、調整対象装置に対する訂正可能障害の統計情報を保持するログ記憶手段と、
前記診断プロセッサが、前記交換装置判断手段により交換されたと判断された調整対象装置を前記保守用プロセッサに通知する手段と、
前記保守用プロセッサが、診断プロセッサからの交換された調整対象装置の通知に従い、当該調整対象装置に対する前記統計情報を消去するログクリア手段と、
を更に備え、
プリエンファシス調整の自動化に伴う訂正可能障害履歴管理も行うことを特徴とするプリエンファシス調整自動化プログラム。
【０１１６】
（付記１０）  付記６乃至９の何れかに記載のプリエンファシス調整自動化プログラムにおいて、
前記調整対象装置が、演算装置、主記憶装置及び入出力制御装置の何れか或いはその組合せであることを特徴とするプリエンファシス調整自動化プログラム。
【符号の説明】
【０１１７】
１０−１、１０−２、１０−ｎ  ＣＰＵ
２０−１、２０−２、２０−ｍ  ＭＭＵ
３０−１、３０−ｓ  ＩＯＰ
４０  診断プロセッサ
４１  フラッシュメモリ
４１ａ  調整済みデータ格納部
４１ｂ  閾値テーブル
４１ｃ  エラーカウントテーブル
４２  ＨＷ制御部
４３  プリエンファシス調整部
４４  交換装置判断部
４５  電源制御部
４６  初期化処理部
４７  伝送試験部
４８  保守用プロセッサ通信部
４９  ＨＷ制御群
５０  保守用プロセッサ
５１  診断プロセッサ通信部
５２  ＨＷ操作部
５３  構成制御部
５４  ログクリア部
５５  ユーザインタフェース
５６  保守操作群
６０  外部記憶装置
６０ａ  ＥＣＣログ記録部
６０ｂ  調整済みデータ保存部
７０  伝送線路
８０  内部診断バス
９０  外部診断用バス
１００  ホストコンピュータ
【図１】
0005549855.tif 000002
【図２−１】
0005549855.tif 000003
【図２−２】
0005549855.tif 000004
【図３】
0005549855.tif 000005
【図４】
0005549855.tif 000006
【図５】
0005549855.tif 000007
【図６】
0005549855.tif 000008
【図７】
0005549855.tif 000009
【図８】
0005549855.tif 000010
【図９】
0005549855.tif 000011
【図１０】
0005549855.tif 000012